(57)【要約】【課題】表示装置のリースとその表示装置で表示するためのコンテンツの提供の双方の管理を効率的に行える表示装置リース管理システム、表示装置リース管理方法、および表示装置リース管理サーバを提供する。【解決手段】表示装置が表示するコンテンツを蓄積するコンテンツデータベースと、表示装置のリースおよび表示装置へのコンテンツの配信を管理するリース管理部が表示装置と通信可能に接続する。リース管理部が表示装置のリースおよび表示装置へのコンテンツの配信を管理していることから、表示装置のリースおよび表示装置へのコンテンツの提供の双方を効率的に管理することが可能となる。【選択図】　　　図１
2004005271.tif 000002
【特許請求の範囲】
【請求項１】
画像を表示する表示部を有し、かつ外部と通信可能なリース対象たる表示装置と、
前記表示装置の前記表示部で表示するコンテンツを蓄積するコンテンツデータベースと、該表示装置のリースおよび該表示装置へのコンテンツの配信を管理するリース管理部とを有し、かつ該表示装置と通信可能に接続されたリース管理サーバと、
を具備することを特徴とする表示装置リース管理システム。
【請求項２】
前記表示装置が、前記表示装置または前記コンテンツに対する要求情報を入力する要求情報入力部と、該要求情報入力部で入力された要求情報を前記リース管理サーバに送信する要求情報送信手段とをさらに有し、
前記リース管理サーバが、前記要求情報送信手段により送信された要求情報を記録する要求情報記録部をさらに有する
ことを特徴とする請求項１記載の表示装置リース管理システム。
【請求項３】
前記要求情報入力部が、前記表示部上に配置されたタッチパネルを含む
ことを特徴とする請求項２記載の表示装置リース管理システム。
【請求項４】
前記要求情報入力部で入力される要求情報が、前記リース管理サーバからの配信を希望するコンテンツを特定するコンテンツ特定情報または配信を希望するコンテンツの特徴を表すコンテンツ特徴情報の少なくともいずれかであり、前記要求情報送信手段が該コンテンツ特定情報、該コンテンツ特徴情報の少なくともいずれかを送信する
ことを特徴とする請求項２記載の表示装置リース管理システム。
【請求項５】
前記リース管理サーバが、前記表示装置から送信されたコンテンツ特定情報に基づき、前記コンテンツデータベースに蓄積されたコンテンツを該表示装置に配信するコンテンツ配信手段をさらに有する
ことを特徴とする請求項４記載の表示装置リース管理システム。
【請求項６】
前記リース管理サーバが、前記表示装置から送信されたコンテンツ特徴情報に基づき、前記表示装置に配信可能なコンテンツのリストを作成するリスト作成手段と、前記リスト作成手段によって作成されたリストを該表示装置に配信するリスト配信手段とをさらに有する
ことを特徴とする請求項４記載の表示装置リース管理システム。
【請求項７】
前記表示装置が、前記リース管理サーバから送信されたリストに基づき、配信を希望するコンテンツを選択する選択情報を入力する選択情報入力部と、該選択情報入力部で入力された選択情報を該リース管理サーバに送信する選択情報送信手段とをさらに有する
ことを特徴とする請求項６記載の表示装置リース管理システム。
【請求項８】
前記リース管理サーバが、前記表示装置から送信されたコンテンツ選択情報に基づき、前記コンテンツデータベースに蓄積されたコンテンツを配信するコンテンツ配信手段をさらに有する
ことを特徴とする請求項７記載の表示装置リース管理システム。
【請求項９】
前記表示装置が、前記コンテンツデータベースから配信されたコンテンツを記録するコンテンツ記録部を有する、
ことを特徴とする請求項１記載の表示装置リース管理システム。
【請求項１０】
前記表示装置が、前記コンテンツ記録部に記録されたコンテンツを消去するコンテンツ消去手段を有する、
ことを特徴とする請求項９記載の表示装置リース管理システム。
【請求項１１】
前記コンテンツ消去手段による前記コンテンツ記録部からの消去が前記コンテンツと共に配信された消去条件情報に基づき行われる、
ことを特徴とする請求項１０記載の表示装置リース管理システム。
【請求項１２】
前記表示装置が、前記コンテンツに対応するコンテンツ対応情報を入力する対応情報入力部と、該対応情報入力部で入力された対応情報を前記リース管理サーバに送信する対応情報送信手段と、をさらに有する
ことを特徴とする請求項１記載の表示装置リース管理システム。
【請求項１３】
前記リース管理サーバが、前記表示装置から送信されたコンテンツ対応情報を加工する対応情報加工手段と、該対応情報加工手段で加工された加工情報を前記表示装置に送信する加工情報送信手段とをさらに有し、
前記表示装置が、前記リース管理サーバから送信された前記加工情報を表示する
ことを特徴とする請求項１２記載の表示装置リース管理システム。
【請求項１４】
前記リース管理サーバが、前記表示装置のリース代金の支払い状況を記録したリース支払記録部と、該リース支払記録部に記録されたリース代金の支払い状況に基づきリース代金の支払いが履行されているか否かを判断する支払履行判断手段と、該支払履行判断手段により支払いが履行されていないと判断されたときに支払いを請求する支払請求情報を該表示装置に送信する請求情報送信手段とをさらに有し、
前記表示装置が、前記リース管理サーバから送信された支払請求情報を前記表示部に表示する
ことを特徴とする請求項１記載の表示装置リース管理システム。
【請求項１５】
前記リース代金が、コンテンツの視聴時間によらず一定である
ことを特徴とする請求項１４記載の表示装置リース管理システム。
【請求項１６】
前記リース代金が、配信されたコンテンツに対応して変化する
ことを特徴とする請求項１４記載の表示装置リース管理システム。
【請求項１７】
前記コンテンツが映画、絵画、風景、事物、スポーツ、ゲームの少なくともいずれかを含む
ことを特徴とする請求項１記載の表示装置リース管理システム。
【請求項１８】
前記ゲームが物品を利用したゲームであり、前記ゲームの結果に応じて前記ゲームの参加者に該物品が提供される
ことを特徴とする請求項１７記載の表示装置リース管理システム。
【請求項１９】
前記表示装置が、前記表示装置の設定状態を表す設定情報を記録する設定情報記録部と、該設定情報記録部に記録された設定情報に基づき該表示装置の設定を行う設定手段とをさらに有する
ことを特徴とする請求項１記載の表示装置リース管理システム。
【請求項２０】
前記設定情報記録部に記録される前記設定情報が、コンテンツの配信に付随して配信される
ことを特徴とする請求項１９記載の表示装置リース管理システム。
【請求項２１】
前記設定情報記録部に記録される設定情報が、視聴を制限するコンテンツを識別する視聴制限コンテンツ識別情報および視聴制限コンテンツ識別情報で表されたコンテンツの視聴制限を解除する視聴制限解除情報であることを特徴とする請求項１９記載の表示装置リース管理システム。
【請求項２２】
前記設定情報記録部が、カード状の記録手段を有する
ことを特徴とする請求項１９記載の表示装置リース管理システム。
【請求項２３】
前記表示装置リース管理システムが、前記表示装置の動作を管理する動作管理部を有し、かつ該表示装置と通信可能に接続された動作管理サーバをさらに具備する
ことを特徴とする請求項１記載の表示装置リース管理システム。
【請求項２４】
前記表示装置が、前記表示装置の動作状況を検知する動作状況検知部と、該動作状況検知部で検知された動作状況を前記リース管理サーバに送信する動作状況送信手段とをさらに有する
ことを特徴とする請求項２３記載の表示装置リース管理システム。
【請求項２５】
前記動作管理サーバが、前記表示装置から送信された動作状況に基づいて、該表示装置の保守点検の要否を判断する保守点検判断手段と、該保守点検判断手段が保守点検を要するとした前記表示装置を識別する情報を表示する表示手段をさらに有する
ことを特徴とする請求項２４記載の表示装置リース管理システム。
【請求項２６】
画像を表示する表示部を有し、かつ外部と通信可能なリース対象たる表示装置のリースを管理する表示装置リース管理方法であって、
前記表示装置のリースを管理するリース管理ステップと、
前記表示装置の前記表示部で表示するコンテンツの該表示装置への配信を管理する配信管理ステップと、
を具備することを特徴とする表示装置リース管理方法。
【請求項２７】
前記表示装置で前記表示装置または前記コンテンツに対する要求情報を入力する要求情報入力ステップと、
前記要求情報入力ステップで入力された要求情報を前記表示装置から送信する要求送信ステップと、
前記要求情報送信ステップで送信された要求情報を受信する要求受信ステップと、
前記要求情報受信ステップで受信された要求情報を記録する要求記録ステップと、
をさらに具備することを特徴とする請求項２６記載の表示装置リース管理方法。
【請求項２８】
前記要求情報入力ステップが、前記表示部上に配置されたタッチパネルを用いて行われる
ことを特徴とする請求項２７記載の表示装置リース管理方法。
【請求項２９】
前記要求情報入力ステップで入力される要求情報が、前記表示装置への配信を希望するコンテンツを特定するコンテンツ特定情報または配信を希望するコンテンツの特徴を表すコンテンツ特徴情報の少なくともいずれかであり、前記要求送信ステップで該コンテンツ特定情報、該コンテンツ特徴情報の少なくともいずれかを送信する
ことを特徴とする請求項２７記載の表示装置リース管理システム。
【請求項３０】
前記配信管理ステップが、
前記表示装置から送信されたコンテンツ特定情報に対応するコンテンツを前記表示装置に配信するコンテンツ配信ステップを有する
ことを特徴とする請求項２９記載の表示装置リース管理方法。
【請求項３１】
前記配信管理ステップが、
前記表示装置から送信されたコンテンツ特徴情報に基づき、前記表示装置に配信可能なコンテンツのリストを作成するリスト作成ステップと、
前記リスト作成ステップで作成されたリストを前記表示装置に送信するリスト送信ステップと、を有する
ことを特徴とする請求項２９記載の表示装置リース管理方法。
【請求項３２】
前記配信管理ステップが、
前記リース送信ステップで送信されたリストに基づき、配信を希望するコンテンツを選択するコンテンツ選択情報を前記表示装置で入力する選択情報入力ステップと、
前記コンテンツ選択情報入力ステップで入力された選択情報を送信する選択送信ステップと、をさらに有する
ことを特徴とする請求項３１記載の表示装置リース管理方法。
【請求項３３】
前記配信管理ステップが、
前記選択送信ステップで送信されたコンテンツ選択情報に対応するコンテンツを配信するコンテンツ送信ステップ、をさらに有する
ことを特徴とする請求項３２記載の表示装置リース管理方法。
【請求項３４】
前記配信管理ステップが、
前記表示装置にコンテンツを配信するコンテンツ配信ステップと、
前記コンテンツ配信ステップで配信されたコンテンツを表示装置が受信するコンテンツ受信ステップと、
前記コンテンツ受信ステップで受信されたコンテンツを記録するコンテンツ記録ステップと、を有する
ことを特徴とする請求項２６記載の表示装置リース管理方法。
【請求項３５】
前記配信管理ステップが、
前記コンテンツ記録ステップで記録されたコンテンツを消去するコンテンツ消去ステップ、をさらに有する
ことを特徴とする請求項３４記載の表示装置リース管理方法。
【請求項３６】
前記コンテンツ消去ステップでのコンテンツの消去が前記コンテンツと共に配信された消去条件情報に基づき行われる、
ことを特徴とする請求項３５記載の表示装置リース管理方法。
【請求項３７】
前記配信管理ステップが、
前記表示装置に配信された前記コンテンツに対応する対応情報を入力する対応情報入力ステップと、
前記対応情報入力ステップで入力された対応情報を送信する対応情報送信ステップと、を有する
ことを特徴とする請求項２６記載の表示装置リース管理方法。
【請求項３８】
前記配信管理ステップが、
前記表示装置から送信されたコンテンツ対応情報を加工する対応情報加工ステップと、
前記対応情報加工ステップで加工された加工情報を前記表示装置に送信する加工情報送信ステップと、
前記加工情報送信ステップで送信された前記加工情報を前記表示装置が表示する表示ステップと、をさらに有する
ことを特徴とする請求項３７記載の表示装置リース管理方法。
【請求項３９】
前記リース管理ステップが、
前記表示装置のリース代金の支払い状況を記録するリース支払記録ステップと、
前記リース支払記録ステップで記録されたリース代金の支払い状況に基づきリース代金の支払いが履行されているか否かを判断する支払履行判断ステップと、前記支払履行判断ステップで支払いが履行されていないと判断されたときに支払いを請求する支払請求情報を前記表示装置に送信する請求情報送信ステップと、
前記請求情報送信ステップで送信された支払請求情報を前記表示装置の前記表示部が表示する表示ステップと、を有する
ことを特徴とする請求項２６記載の表示装置リース管理方法。
【請求項４０】
前記リース代金が、コンテンツの視聴時間によらず一定である
ことを特徴とする請求項３９記載の表示装置リース管理方法。
【請求項４１】
前記リース代金が、配信されたコンテンツに対応して変化する
ことを特徴とする請求項３９記載の表示装置リース管理方法。
【請求項４２】
前記コンテンツが映画、絵画、風景、事物、スポーツ、ゲームの少なくともいずれかを含む
ことを特徴とする請求項２６記載の表示装置リース管理方法。
【請求項４３】
前記ゲームが物品を利用したゲームであり、前記ゲームの結果に応じて前記ゲームの参加者に該物品が提供される
ことを特徴とする請求項４２記載の表示装置リース管理方法。
【請求項４４】
前記配信管理ステップが、
前記表示装置の設定状態を表す設定情報を記録する設定情報記録ステップと、前記設定情報記録ステップで記録された設定情報に基づき該表示装置を設定する設定ステップと、を有する
ことを特徴とする請求項２６記載の表示装置リース管理方法。
【請求項４５】
前記設定情報記録ステップで記録される前記設定情報が、コンテンツの配信に付随して配信される
ことを特徴とする請求項４４記載の表示装置リース管理方法。
【請求項４６】
前記設定情報記録ステップで記録される設定情報が、視聴を制限するコンテンツを識別する視聴制限コンテンツ識別情報および視聴制限コンテンツ識別情報で表されたコンテンツの視聴制限を解除する視聴制限解除情報である
ことを特徴とする請求項４５記載の表示装置リース管理方法。
【請求項４７】
前記設定情報記録ステップが、カード状の記録手段を用いて行われる
ことを特徴とする請求項４５記載の表示装置リース管理方法。
【請求項４８】
前記表示装置リース管理方法が、前記表示装置の動作を管理する動作管理ステップ
をさらに具備することを特徴とする請求項２６記載の表示装置リース管理方法。
【請求項４９】
前記動作管理ステップが、
前記表示装置の動作状況を検知する動作状況検知ステップと、
前記動作状況検知ステップで検知された動作状況を送信する動作状況送信ステップと、をさらに有する
ことを特徴とする請求項４８記載の表示装置リース管理方法。
【請求項５０】
前記動作管理ステップが、
前記動作状況送信ステップで送信された動作状況に基づいて、該表示装置の保守点検の要否を判断する保守点検判断ステップと、
前記保守点検判断ステップで保守点検を要するとされた前記表示装置を識別する情報を表示する表示ステップをさらに有する
ことを特徴とする請求項４９記載の表示装置リース管理方法。
【請求項５１】
画像を表示する表示部を有し、かつ外部と通信可能なリース対象たる表示装置の前記表示部で表示するコンテンツを蓄積するコンテンツデータベースと、
前記表示装置のリースおよび前記表示装置へのコンテンツの配信を管理するリース管理部と、
前記表示装置と通信する通信手段と、
を具備することを特徴とする表示装置リース管理サーバ。
【発明の詳細な説明】
【０００１】
【発明の属する技術分野】
本発明は、リースの管理を行うリース管理システム、リース管理方法、リース管理サーバに関し、特に表示装置のリースを管理する表示装置リース管理システム、表示装置リース管理方法、および表示装置リース管理サーバに関する。
【０００２】
【従来の技術】
リース契約に基づいて機器等をリースしその管理を行う場合がある。リース契約は、一定期間にわたりリース対象物たる機器の使用権を移転する契約であり、ユーザは機器の購入を行うことなく機器を入手、利用することができる。
このような場合に、機器のリース状況を管理するためにリース管理システムが用いられる（例えば、特開２００１−３５７３２５参照）。
ここで、機器として表示装置をリースする場合にもこのようなリース管理システムを用いることが考えられる。
【０００３】
【発明が解決しようとする課題】
しかしながら、表示装置では表示装置自体のリースに留まらず、表示装置で表示する表示内容（コンテンツ）をも提供することがある。このような場合、従来のリース管理システムでは、専ら機器のリースのみを考慮していることから、表示装置のリースとコンテンツの提供の双方の管理を効率的に行うことが困難であった。
本発明はこのような課題を解決するためになされたもので、表示装置のリースとその表示装置で表示するためのコンテンツの提供の双方の管理を効率的に行える表示装置リース管理システム、表示装置リース管理方法、および表示装置リース管理サーバを提供することを目的としている。
【０００４】
【課題を解決するための手段】
Ａ．上記目的を達成するために本明に係る表示装置リース管理システムは、画像を表示する表示部を有し、かつ外部と通信可能なリース対象たる表示装置と、前記表示装置の前記表示部で表示するコンテンツを蓄積するコンテンツデータベースと、該表示装置のリースおよび該表示装置へのコンテンツの配信を管理するリース管理部とを有し、かつ該表示装置と通信可能に接続されたリース管理サーバと、を具備することを特徴とする。
表示装置が表示するコンテンツを蓄積するコンテンツデータベースと、表示装置のリースおよび表示装置へのコンテンツの配信を管理するリース管理部が表示装置と通信可能に接続されている。リース管理部が表示装置のリースおよび表示装置へのコンテンツの配信を管理していることから、表示装置のリースおよび表示装置へのコンテンツの提供の双方を効率的に管理することが可能となる。
【０００５】
（１）前記表示装置が、前記表示装置または前記コンテンツに対する要求情報を入力する要求情報入力部と、該要求情報入力部で入力された要求情報を前記リース管理サーバに送信する要求情報送信手段とをさらに有し、前記リース管理サーバが、前記要求情報送信手段により送信された要求情報を記録する要求情報記録部をさらに有してもよい。
表示装置の入力装置で、表示装置またはコンテンツに対する要求情報を入力し、この送信、リース管理サーバでの記録を速やかに行うことができる。この結果、ユーザの表示装置またはコンテンツに対する要求を速やかに反映することが可能となる。
【０００６】
１）この前記要求情報入力部は、一例として、前記表示部上に配置されたタッチパネルで構成できる。
表示装置に入力に適したメニューを表示させ、タッチパネルでこのメニューからの選択を行うことで、要求情報を容易に入力できる。
【０００７】
２）前記要求情報入力部で入力される要求情報が、前記リース管理サーバからの配信を希望するコンテンツを特定するコンテンツ特定情報または配信を希望するコンテンツの特徴を表すコンテンツ特徴情報の少なくともいずれかであり、前記要求情報送信手段が該コンテンツ特定情報、該コンテンツ特徴情報の少なくともいずれかを送信してもよい。
【０００８】
▲１▼前記リース管理サーバが前記表示装置から送信されたコンテンツ特定情報に基づき、前記コンテンツデータベースに蓄積されたコンテンツを該表示装置に配信するコンテンツ配信手段をさらに有してもよい。
表示装置からコンテンツ特定情報が送信された場合に、コンテンツ配信手段によって、表示装置にコンテンツを配信できる。
【０００９】
▲２▼前記リース管理サーバが、前記表示装置から送信されたコンテンツ特徴情報に基づき、前記表示装置に配信可能なコンテンツのリストを作成するリスト作成手段と、前記リスト作成手段によって作成されたリストを該表示装置に配信するリスト配信手段とをさらに有してもよい。
表示装置からコンテンツ特徴情報が送信された場合に、リスト配信手段によって、表示装置にコンテンツのリストを配信できる。
【００１０】
ここで、前記表示装置が、前記リース管理サーバから送信されたリストに基づき、配信を希望するコンテンツを選択する選択情報を入力する選択情報入力部と、該選択情報入力部で入力された選択情報を該リース管理サーバに送信する選択情報送信手段とをさらに有してもよい。
表示装置のユーザは、配信されたコンテンツから選択情報入力部によって、所望のコンテンツを選択し、リース管理サーバに送信できる。
【００１１】
また、前記リース管理サーバが、前記表示装置から送信されたコンテンツ選択情報に基づき、前記コンテンツデータベースに蓄積されたコンテンツを配信するコンテンツ配信手段をさらに有してもよい。
選択されたコンテンツを配信し、表示装置のユーザが視聴できる。
【００１２】
（２）前記表示装置が、前記コンテンツデータベースから配信されたコンテンツを記録するコンテンツ記録部を有してもよい。
配信されたコンテンツがコンテンツ記録部に記録されることから、表示装置のユーザは所望の時間にコンテンツを視聴できる。
【００１３】
１）前記表示装置が、前記コンテンツ記録部に記録されたコンテンツを消去するコンテンツ消去手段を有してもよい。
コンテンツを消去することでコンテンツ記録部の記憶容量の有効利用が可能となる。またコンテンツの視聴期間等を制限することでコンテンツの提供を安価に行えるようになる。
ここで、前記コンテンツ消去手段による前記コンテンツ記録部からの消去が前記コンテンツと共に配信された消去条件情報に基づき行われてもよい。
消去条件情報は、例えばコンテンツの消去時期である。
【００１４】
（３）前記表示装置が、前記コンテンツに対応するコンテンツ対応情報を入力する対応情報入力部と、該対応情報入力部で入力された対応情報を前記リース管理サーバに送信する対応情報送信手段と、をさらに有してもよい。
表示装置からコンテンツに対応する情報を入力、送信できる。「コンテンツに対応する情報」の一例として、ゴルフのスイング、ゲームにおける操作情報が挙げられる。
なお、この入力は複数の表示装置から行っても差し支えない。
【００１５】
ここで、前記リース管理サーバが、前記表示装置から送信されたコンテンツ対応情報を加工する対応情報加工手段と、該対応情報加工手段で加工された加工情報を前記表示装置に送信する加工情報送信手段とをさらに有し、前記表示装置が、前記リース管理サーバから送信された前記加工情報を表示してもよい。
表示装置から入力されたコンテンツに対応する情報が加工され、表示装置で表示される。
例えば、ゴルフのスイングを矯正するための情報を表示したり、ゲームでの操作情報に対応して画面を変化させたりすることができる。
なお、複数の表示装置からの入力を加工することもでき、例えばネットワークゲームを行える。
【００１６】
（４）前記リース管理サーバが、前記表示装置のリース代金の支払い状況を記録したリース支払記録部と、該リース支払記録部に記録されたリース代金の支払い状況に基づきリース代金の支払いが履行されているか否かを判断する支払履行判断手段と、該支払履行判断手段により支払いが履行されていないと判断されたときに支払いを請求する支払請求情報を該表示装置に送信する請求情報送信手段とをさらに有し、前記表示装置が、前記リース管理サーバから送信された支払請求情報を前記表示部に表示してもよい。
リースの支払いが滞っているような場合に、リースしている表示装置を用いてユーザに注意を喚起できる。
このリース代金は、コンテンツの視聴時間によらず一定、配信されたコンテンツに対応して変化する等種々に設定することができる。
【００１７】
（５）提供するコンテンツには、映画、絵画、風景、事物、スポーツ、ゲーム等種々のものを用いることができる。
このゲームが、物品を利用したゲームであり、前記ゲームの結果に応じて前記ゲームの参加者に該物品が提供されてもよい。
この一例として、ゴルフのクラブを賞品とするゴルフゲームが挙げられる。
【００１８】
（６）前記表示装置が、前記表示装置の設定状態を表す設定情報を記録する設定情報記録部と、該設定情報記録部に記録された設定情報に基づき該表示装置の設定を行う設定手段とをさらに有してもよい。
コンテンツ等に対応して表示装置の設定を変更することができる。
【００１９】
１）前記設定情報記録部に記録される前記設定情報が、コンテンツの配信に付随して配信されてもよい。
コンテンツの配信に伴って、設定情報の配信が行われることで、コンテンツに対応した表示装置の設定が容易に行える。
【００２０】
２）前記設定情報記録部に記録される設定情報が、視聴を制限するコンテンツを識別する視聴制限コンテンツ識別情報および視聴制限コンテンツ識別情報で表されたコンテンツの視聴制限を解除する視聴制限解除情報であってもよい。
配信されるコンテンツに何らかの視聴制限が加えられている場合に、視聴制限コンテンツ識別情報でこのコンテンツを特定し、視聴の制限を行うことができる。
ここでいう視聴の制限とは、表示装置を設定することで、コンテンツの全部または一部の視聴ができないようにすることをいう。視聴制限が加えられたコンテンツの具体例に、映倫によりＲ指定、Ｘ指定がされた映画が挙げられる。
視聴制限解除情報を用いて、視聴制限を解除できる。この一例に、パスワードの入力が挙げられる。
【００２１】
３）前記設定情報記録部が、カード状の記録手段を有してもよい。
カード状の記録手段を用いることで、設定情報記録部の可搬性を向上できる。例えば、異なる表示装置に設置されていたカード状の記録手段を他の表示装置に設置することで、設定状態を移転することができる。
カード状の記録手段の例として、ＩＣカードが挙げられる。
【００２２】
（７）前記表示装置リース管理システムが、前記表示装置の動作を管理する動作管理部を有し、かつ該表示装置と通信可能に接続された動作管理サーバをさらに具備してもよい。
表示装置のリース、コンテンツの提供の管理に加え、表示装置の動作管理を効率よく行える。
【００２３】
ここで、前記表示装置が、前記表示装置の動作状況を検知する動作状況検知部と、該動作状況検知部で検知された動作状況を前記リース管理サーバに送信する動作状況送信手段とをさらに有してもよい。
表示装置の動作状況を動作管理サーバに速やかに知らせることができる。
【００２４】
前記動作管理サーバが、前記表示装置から送信された動作状況に基づいて、該表示装置の保守点検の要否を判断する保守点検判断手段と、該保守点検判断手段が保守点検を要するとした前記表示装置を識別する情報を表示する表示手段をさらに有してもよい。
保守点検判断手段、および保守点検判断手段が保守点検を要するとした前記表示装置を識別する情報を表示する表示手段を用いることで、故障等保守点検が必要な状態に陥った表示装置への保守点検（保守要員の派遣等）を速やかに行える。
【００２５】
Ｂ．上記目的を達成するために本明に係る表示装置リース管理方法は、画像を表示する表示部を有し、かつ外部と通信可能なリース対象たる表示装置のリースを管理する表示装置リース管理方法であって、前記表示装置のリースを管理するリース管理ステップと、前記表示装置の前記表示部で表示するコンテンツの該表示装置への配信を管理する配信管理ステップと、を具備することを特徴とする。表示装置の通信機能を用いて、表示装置のリース管理、コンテンツの配信管理を効率よく行える
【００２６】
（１）ここで、表示装置リース管理方法が、前記表示装置で前記表示装置または前記コンテンツに対する要求情報を入力する要求情報入力ステップと、前記要求情報入力ステップで入力された要求情報を前記表示装置から送信する要求送信ステップと、前記要求情報送信ステップで送信された要求情報を受信する要求受信ステップと、前記要求情報受信ステップで受信された要求情報を記録する要求記録ステップと、をさらに具備してもよい。
表示装置の入力装置で入力された表示装置またはコンテンツに対する要求情報の送信、記録を速やかに行うことができる。この結果、ユーザの表示装置またはコンテンツに対する要求を速やかに反映することが可能となる。
【００２７】
１）前記要求情報入力ステップは、前記表示部上に配置されたタッチパネルを用いて行ってもよい。
表示装置に入力に適したメニューを表示させ、タッチパネルでこのメニューからの選択を行うことで、要求情報を容易に入力できる。
【００２８】
２）前記要求情報入力ステップで入力される要求情報が、前記表示装置への配信を希望するコンテンツを特定するコンテンツ特定情報または配信を希望するコンテンツの特徴を表すコンテンツ特徴情報の少なくともいずれかであり、前記要求送信ステップで該コンテンツ特定情報、該コンテンツ特徴情報の少なくともいずれかを送信してもよい。
【００２９】
▲１▼前記配信管理ステップが、前記表示装置から送信されたコンテンツ特定情報に対応するコンテンツを前記表示装置に配信するコンテンツ配信ステップを有してもよい。
表示装置からコンテンツ特定情報が送信された場合に、コンテンツ配信ステップで表示装置にコンテンツを自動的に配信できる。
【００３０】
▲２▼前記配信管理ステップが、前記表示装置から送信されたコンテンツ特徴情報に基づき、前記表示装置に配信可能なコンテンツのリストを作成するリスト作成ステップと、前記リスト作成ステップで作成されたリストを前記表示装置に送信するリスト送信ステップと、を有してもよい。
表示装置からコンテンツ特徴情報が送信された場合に、リスト配信ステップで表示装置にコンテンツのリストを自動的に配信できる。
【００３１】
ここで、前記配信管理ステップが、前記リース送信ステップで送信されたリストに基づき、配信を希望するコンテンツを選択するコンテンツ選択情報を前記表示装置で入力する選択情報入力ステップと、前記コンテンツ選択情報入力ステップで入力された選択情報を送信する選択送信ステップと、をさらに有してもよい。
表示装置のユーザは、配信されたコンテンツから選択情報入力部によって、所望のコンテンツを選択し、リース管理サーバに送信できる。
【００３２】
また、前記配信管理ステップが、前記選択送信ステップで送信されたコンテンツ選択情報に対応するコンテンツを配信するコンテンツ送信ステップ、をさらに有してもよい。
選択されたコンテンツを配信し、表示装置のユーザが視聴できる。
【００３３】
（２）前記配信管理ステップが、前記表示装置にコンテンツを配信するコンテンツ配信ステップと、前記コンテンツ配信ステップで配信されたコンテンツを表示装置が受信するコンテンツ受信ステップと、前記コンテンツ受信ステップで受信されたコンテンツを記録するコンテンツ記録ステップと、を有してもよい。
配信されたコンテンツが記録されることから、表示装置のユーザは所望の時間にコンテンツを視聴できる。
【００３４】
１）前記配信管理ステップが、前記コンテンツ記録ステップで記録されたコンテンツを消去するコンテンツ消去ステップ、をさらに有してもよい。
コンテンツを消去することでコンテンツを記録するための記憶容量の有効利用が可能となる。またコンテンツの視聴期間等を制限することでコンテンツの提供を安価に行えるようになる。
ここで、前記コンテンツ消去ステップでのコンテンツの消去が前記コンテンツと共に配信された消去条件情報に基づき行われてもよい。
消去条件情報は、例えばコンテンツの消去時期である。
【００３５】
（３）前記配信管理ステップが、前記表示装置に配信された前記コンテンツに対応する対応情報を入力する対応情報入力ステップと、前記対応情報入力ステップで入力された対応情報を送信する対応情報送信ステップと、を有してもよい。
表示装置からコンテンツに対応する情報を入力、送信できる。「コンテンツに対応する情報」の一例として、ゴルフのスイング、ゲームにおける操作情報が挙げられる。
なお、この入力は複数の表示装置から行っても差し支えない。
【００３６】
ここで、前記配信管理ステップが、前記表示装置から送信されたコンテンツ対応情報を加工する対応情報加工ステップと、前記対応情報加工ステップで加工された加工情報を前記表示装置に送信する加工情報送信ステップと、前記加工情報送信ステップで送信された前記加工情報を前記表示装置が表示する表示ステップと、をさらに有してもよい。
表示装置から入力されたコンテンツに対応する情報が加工され、表示装置で表示される。
例えば、ゴルフのスイングを矯正するための情報を表示したり、ゲームでの操作情報に対応して画面を変化させたりすることができる。
なお、複数の表示装置からの入力を加工することもでき、例えばネットワークゲームを行える。
【００３７】
（４）前記リース管理ステップが、前記表示装置のリース代金の支払い状況を記録するリース支払記録ステップと、前記リース支払記録ステップで記録されたリース代金の支払い状況に基づきリース代金の支払いが履行されているか否かを判断する支払履行判断ステップと、前記支払履行判断ステップで支払いが履行されていないと判断されたときに支払いを請求する支払請求情報を前記表示装置に送信する請求情報送信ステップと、前記請求情報送信ステップで送信された支払請求情報を前記表示装置の前記表示部が表示する表示ステップと、を有してもよい。
リースの支払いが滞っているような場合に、リースしている表示装置を用いてユーザに注意を喚起できる。
このリース代金は、コンテンツの視聴時間によらず一定、配信されたコンテンツに対応して変化する等種々に設定することができる。
【００３８】
（５）前記コンテンツには、映画、絵画、風景、事物、スポーツ、ゲーム等種々のものを用いることができる。
このゲームが、物品を利用したゲームであり、前記ゲームの結果に応じて前記ゲームの参加者に該物品が提供されてもよい。
この一例として、ゴルフのクラブを賞品とするゴルフゲームが挙げられる。
【００３９】
（６）前記配信管理ステップが、前記表示装置の設定状態を表す設定情報を記録する設定情報記録ステップと、前記設定情報記録ステップで記録された設定情報に基づき該表示装置を設定する設定ステップと、を有してもよい。
コンテンツ等に対応して表示装置の設定を変更することができる。
【００４０】
１）前記設定情報記録ステップで記録される前記設定情報が、コンテンツの配信に付随して配信されてもよい。
コンテンツの配信に伴って、設定情報の配信が行われることで、コンテンツに対応した表示装置の設定が容易に行える。
【００４１】
２）前記設定情報記録ステップで記録される設定情報が、視聴を制限するコンテンツを識別する視聴制限コンテンツ識別情報および視聴制限コンテンツ識別情報で表されたコンテンツの視聴制限を解除する視聴制限解除情報であってもよい。
配信されるコンテンツに何らかの視聴制限が加えられている場合に、視聴制限コンテンツ識別情報でこのコンテンツを特定し、視聴の制限を行うことができる。
ここでいう視聴の制限とは、表示装置を設定することで、コンテンツの全部または一部の視聴ができないようにすることをいう。視聴制限が加えられたコンテンツの具体例に、映倫によりＲ指定、Ｘ指定がされた映画が挙げられる。
視聴制限解除情報を用いて、視聴制限を解除できる。この一例に、パスワードの入力が挙げられる。
【００４２】
３）前記設定情報記録ステップが、カード状の記録手段を用いて行われてもよい。
カード状の記録手段を用いることで、異なる表示装置に設置されていたカード状の記録手段を他の表示装置に設置する等、設定状態の移転を効率よく行える。
カード状の記録手段の例として、ＩＣカードが挙げられる。
【００４３】
（７）前記表示装置リース管理方法が、前記表示装置の動作を管理する動作管理ステップをさらに具備してもよい。
表示装置のリース、コンテンツの提供の管理に加え、表示装置の動作管理を効率よく行える。
【００４４】
ここで、前記動作管理ステップが、前記表示装置の動作状況を検知する動作状況検知ステップと、前記動作状況検知ステップで検知された動作状況を送信する動作状況送信ステップと、をさらに有してもよい。
表示装置の動作状況を速やかに通知することができる。
【００４５】
ここで、前記動作管理ステップが、前記動作状況送信ステップで送信された動作状況に基づいて、該表示装置の保守点検の要否を判断する保守点検判断ステップと、前記保守点検判断ステップで保守点検を要するとされた前記表示装置を識別する情報を表示する表示ステップをさらに有してもよい。
保守点検判断手段、および保守点検判断手段が保守点検を要するとした前記表示装置を識別する情報を表示する表示手段を用いることで、故障等保守点検が必要な状態に陥った表示装置への保守点検（保守要員の派遣等）を速やかに行える。
【００４６】
Ｃ．上記目的を達成するために本明に係る表示装置リース管理サーバは、画像を表示する表示部を有し、かつ外部と通信可能なリース対象たる表示装置の前記表示部で表示するコンテンツを蓄積するコンテンツデータベースと、前記表示装置のリースおよび前記表示装置へのコンテンツの配信を管理するリース管理部と、前記表示装置と通信する通信手段と、を具備することを特徴とする。
表示装置リース管理サーバのリース管理部が表示装置のリースおよび表示装置へのコンテンツの配信を管理していることから、表示装置のリースおよび表示装置へのコンテンツの提供の双方を効率的に管理することが可能となる。
【００４７】
【発明の実施の形態】
以下、図面を参照して、本発明の実施の形態を詳細に説明する。
図１は本発明の第１実施形態に係る表示装置リース管理システム１０の構成を示すブロック図である。
表示装置リース管理システム１０は、互いに通信可能な表示装置２０，表示装置リース管理サーバたるリース管理サーバ３０、動作管理サーバ４０から構成され、表示装置２０および表示装置２０で表示するコンテンツの双方のリースを管理する。
【００４８】
表示装置２０のリースを受けるユーザは個人ユーザ、業界ユーザのいずれでも差し支えない。ユーザは、表示装置２０とともに表示装置２０で表示するコンテンツ（表示内容）の提供をリース管理サーバ３０から受けることができる。
業界ユーザとしては、例えば個室映写室の業者、ゴルフ練習場の業者、カラオケ業者が挙げられる。なお、個室映写室の業者等の業務内容は後述する。
【００４９】
コンテンツとしては、静止画、動画のいずれでもよく、適宜に音声が含まれても差し支えない。具体的なコンテンツとして、例えば、映画、絵画、風景、事物、スポーツ、コンサート（音楽、バレエ等）、ゲーム（ゴルフゲーム、テニスゲーム、クイズ等）が挙げられる。
ゴルフゲーム、テニスゲームでは、ゴルフクラブ、テニスラケット等の物品を利用しているが、ゲームの結果に応じてゲームの参加者にこれらの物品を賞品として提供することも考えられる。
【００５０】
（表示装置の詳細）
表示装置２０は、リース対象物であり、表示部２１、音声出力部２２，コンテンツ記録部２３，設定情報記録部２４，入力部２５，動作状況検知部２６，送受信部２７から構成されるが、必ずしもこれら全てを備えていなくても良く、適宜に省くことが可能である。
【００５１】
表示装置２０はリース管理サーバ３０、動作管理サーバ４０との通信が可能である。例えばリース管理サーバ３０へのコンテンツに対するリクエストの送信、リース管理サーバ３０からのコンテンツの受信（配信）、動作管理サーバ４０への表示装置２０の動作状況の送信、動作管理サーバ４０からの表示装置２０の保守点検情報（次の保守点検日、点検内容の通知等）の受信等を行うことができる。
また、表示装置２０において、配信を受けたいコンテンツの予約、視聴禁止等の設定（セッティング）を行うことができる。これらの設定は設定情報記録部２４に記録される。なお、配信されたコンテンツは、コンテンツ記録部２３に記録されユーザの好みの時間に視聴することができる。
【００５２】
ユーザは、入力部２５にリクエスト情報を入力することで、リース管理サーバ３０に何らかのリクエスト（要望）を行うことができる。
このリクエストは、コンテンツへのリクエスト、表示装置２０へのリクエストに区分することができる。
【００５３】
コンテンツへのリクエストは、▲１▼提供を受けるコンテンツの直接的な特定を行うこと（コンテンツを特定する情報、例えば、「＊＊監督の＊＊映画」を示す）、▲２▼コンテンツの間接的な特定を行うこと（例えば、コンテンツの特徴を表す情報、具体的には、映画のジャンル、好きなスポーツ、ミュージシャン等個人的嗜好等を示す）のいずれかによって行える。
【００５４】
表示装置２０へのリクエストは、表示装置２０のメンテナンス、交換、仕様変更（機種、大きさ、画素数）等の要求が挙げられる。この要求は、設置場所に合致したデザインの表示装置２０への機種変更の要求等間接的な要求の形でも行える。
この結果、表示装置２０の機種、大きさ（サイズ）、デザインをユーザの希望、設置場所、要望画質等に合わせてセミオーダすることが可能である。即ち、ユーザは表示装置２０のリースの開始時、リース継続中の双方で自己の利用環境、嗜好に合致した表示装置２０をリクエストすることが容易に行える。
表示装置２０へのリクエストは、適宜に動作管理サーバ４０へと伝達される。
【００５５】
リース管理サーバ３０に伝達されたリクエストに応じて、リース管理サーバ３０からのコンテンツの配信、表示装置の製造業者の派遣等が行われる。
【００５６】
表示部２１は、コンテンツ記録部２３に記録されたコンテンツを表示するものであり、種々の表示手段を用いることができる。表示手段として、例えば、ＣＲＴ（Ｃａｔｈｏｄｅ　Ｒａｙ　Ｔｕｂｅ：陰極線管）、ＬＣＤ（Ｌｉｑｕｉｄ　Ｃｒｙｓｔａｌ　Ｄｉｓｐｌａｙ：液晶表示装置）、ＰＤＰ（Ｐｌａｓｍａ　Ｄｉｓｐｌａｙ　Ｐａｎｅｌ：プラズマディスプレイパネル）、ライトバルブリアプロジェクション、ライトバルブフロントプロジェクション、ルミネッセンスディスプレイデバイス、ＬＥＤアレイディスプレイデバイス、ＦＥＤ（Ｆｉｅｌｄ　Ｅｍｉｓｓｉｏｎ　Ｄｉｓｐｌａｙ）等のいずれかを用いることができる。
【００５７】
音声出力部２２は，コンテンツに関連して音声情報を出力するための出力装置であり、例えばスピーカ、ヘッドホン等が挙げられる。
【００５８】
コンテンツ記録部２３は，リース管理サーバ３０から送信され表示部２１によって表示される表示内容（コンテンツ）を記録するものであり、種々の記録手段を用いることができる。配信されたコンテンツがコンテンツ記録部２３に記録されることから、表示装置２０のユーザは所望の時間にコンテンツを視聴できる。このコンテンツ記録部２３は、記録されたコンテンツを自動的に消去するコンテンツ消去手段を有している。コンテンツを消去することでコンテンツ記録部２３の記憶容量の有効利用が可能となる。またコンテンツの視聴期間等を制限することで、コンテンツの提供を安価に行えるようになる。このコンテンツ消去手段によるコンテンツ記録部２３からの自動消去は、例えば、コンテンツと共に配信された消去条件情報に基づいて行える。消去条件情報は、例えばコンテンツの消去時期である。
記録手段として、例えば、半導体メモリー、ハードディスク、ＣＤ（Ｃｏｍｐａｃｔ　Ｄｉｓｃ）、ＤＶＤ（Ｄｉｇｉｔａｌ　Ｖｅｒｓａｔｉｌｅ　Ｄｉｓｋ）、ＭＯディスク（Ｍａｇｎｅｔｏ−Ｏｐｔｉｃａｌ　Ｄｉｓｃ）等を用いることができる。但し、コンテンツの著作権の関係で、ユーザによるコピーを防止されているものとする。
【００５９】
設定情報記録部２４は，表示部２１で表示するコンテンツに対応する表示装置２０の設定情報（セッティング状態を表す情報）を記録する記録装置であり、例えばＩＣカード等を用いることができる。
設定情報記録部２４に記録された設定情報に基づいて、表示装置２０への設定が行われる。この設定は図示しない設定手段によって行える。
また、カード状の記録手段を用いることで、設定情報記録部２４の可搬性を向上できる。例えば、異なる表示装置２０に設置されていたＩＣカードを他の表示装置２０に設置することで、設定状態を移転することができる。
【００６０】
この設定情報は、ハードウェアに関するものとソフトウェアに関するに区分できる。
ハードウェアに関しては、例えば、表示装置２０の機種、大きさ、画素数（例えば、１６００＊１２００）、縦置き／横置きの別、音声出力部の状態（接続する出力機器の機種（スピーカ、ヘッドホン等）、大きさ、配置等）、入力部２５の状態（接続する入力機器の種類（マイク、テレビカメラ等）、配置等）が挙げられる。
【００６１】
また、ソフトウェアに関しては、表示装置２０で視聴したいコンテンツを予約する予約設定情報や視聴を制限する視聴制限情報（例えば、Ｘ指定やＲ指定等未成年への視聴を制限するコンテンツのレベルを表す視聴制限レベル情報または／および視聴を制限するコンテンツを識別する視聴制限コンテンツ識別情報）や視聴制限を解除する視聴制限解除情報が挙げられる。
ここで、視聴の制限とは、コンテンツの全部または一部の視聴が表示装置２０でできないようにすることをいう。
視聴制限解除情報には、例えば、入力することで視聴の制限を解除できるパスワードが挙げられる。
【００６２】
これらの設定情報は、コンテンツの配信に付随して配信されることができる。コンテンツの配信に伴って、設定情報の配信が行われることで、コンテンツに対応した表示装置２０の設定が容易に行える。
【００６３】
入力部２５は，表示装置２０のユーザによる情報の入力を可能とする入力機器であり、例えば、表示部２１の表面に形成されたタッチパネル、画像情報を入力する画像入力機器（テレビカメラ等）、音声情報を入力する音声入力機器（マイク等）を用いて情報を入力できる。
この入力部２５は、本発明における要求情報入力部、選択情報入力部、対応情報入力部として機能する。
【００６４】
動作状況検知部２６は，表示部２１の動作状況を検知する検知手段である。動作状況の情報には、例えば、表示部２１の動作の有無、階調特性（印加電圧に対する輝度の関係）が考えられる。
この検知は表示部２１の表示ライン毎、個々の表示画素毎、あるいは複数の画素を一括して行われ、例えば表示部２１の全体あるいは一部の表示画素や表示ラインの動作特性の経時的変化等を検知できる。
【００６５】
動作状況検知は、表示部２１の表示画素毎の輝度そのものを直接的に検知することでも行えるが（例えば、表示部２１の表示画像をテレビカメラで撮影する）、表示部２１の動作状況を間接的に検知しても差し支えない（例えば、表示部２１での電流−電圧特性の検知、表示ライン毎の抵抗値の測定を行う）。このような間接的な手法でも、表示装置２０の画素単位、ライン単位、画面全体における表示状態の変化を検知できる。
【００６６】
送受信部２７は、リース管理サーバ３０、動作管理サーバ４０との通信を行う装置である。この通信は専用線、汎用線、インターネット等種々の通信経路を用いて行え、また有線、無線のいずれでも差し支えない。
送受信部２７は、本発明における要求情報送信手段、選択情報送信手段、対応情報送信手段、動作状況送信手段として機能する。
【００６７】
（リース管理サーバ３０の詳細）
リース管理サーバ３０は、表示装置２０のリースおよびコンテンツの提供を管理するためのサーバであり、リース管理部３１，ユーザ情報データベース（ＤＢ）３２，コンテンツＤＢ３３、送受信部３４から構成される。
【００６８】
リース管理サーバ３０は、表示装置２０のリース業者が用いることができる。表示装置２０のリースとコンテンツの提供の双方を一元的に管理することで、ユーザへの対応を効率よく行うことが可能となる。
表示装置２０のリースの管理には、表示装置２０のリースの期限的な管理に加えて、リース代金の管理が含まれる。また、ユーザの要望等もリクエスト情報として管理される。即ち、リース管理サーバ３０を用いることで、ユーザ窓口、リース代金回収管理を一本化することが可能となる。
【００６９】
コンテンツの提供に際しては、ユーザからのリクエストに応じてコンテンツ自体を配信する他に、配信済みのまたは配信可能なコンテンツのリストを提供することができる。例えば、ユーザがコンテンツ特徴情報を用いて間接的にコンテンツを特定した場合に、ユーザの嗜好等に合致するコンテンツのリストを提供できる。
【００７０】
提供した配信可能なリストは、ユーザが表示装置２０の入力部２５で具体的なコンテンツを指定する際に利用できる。ユーザが入力部２５で配信可能リストから配信を受けたいコンテンツを選択することで（選択情報の入力）、コンテンツの配信の予約が受付られる（自動配信予約受付）。受け付けられた配信予約に基づき、コンテンツが自動配信される。
【００７１】
リース管理においては、表示装置２０のリースの期限管理およびリース代金の支払い管理を行う。例えば、リース代金がユーザから支払われていない場合に、送受信部３４を介して表示装置２０に支払い請求を行う。支払い請求の情報（例えば、支払いを促す情報）は表示装置２０の表示部２１に表示される。
なお、リース代金は、コンテンツの視聴時間によらず一定、配信されたコンテンツに対応して変化する等種々に設定することができる。
【００７２】
リース管理部３１は，ユーザ情報ＤＢ３２に基づき表示装置２０のリース管理およびコンテンツの提供管理の双方を行う。
リース管理部３１は、本発明において、配信可能なコンテンツのリストを作成するリスト作成手段、表示装置２０から送信されたコンテンツ対応情報を加工する対応情報加工手段、リース代金の支払いが履行されているか否かを判断する支払履行判断手段として機能する。
【００７３】
ユーザ情報データベース（ＤＢ）３２は、表示装置２０のリース（貸与）を受け表示装置２０を利用するユーザに関連した情報を蓄積するデータベースであり、ユーザを識別する情報（ユーザの氏名または社名、住所等）に加えて、表示装置２０のリースを管理するためのリース管理情報、コンテンツの提供を管理するためのコンテンツ提供管理情報等が蓄積される。
【００７４】
リース管理情報には、ユーザにリースしている表示装置２０を識別する情報（型式、サイズ、付属品等）、リースの期間、リース代金の支払い状況、ユーザからの表示装置２０に対する表示装置リクエスト情報が挙げられる。
即ち、ユーザ情報ＤＢ３２は、表示装置２０のリース代金の支払い状況を記録したリース支払記録部として機能する。
【００７５】
コンテンツ提供管理情報には、ユーザに提供中のコンテンツを識別する提供コンテンツ識別情報、ユーザに提供する予定のコンテンツを識別する提供予約コンテンツ識別情報、ユーザからのコンテンツに対するコンテンツ・リクエスト情報、ユーザからのリクエストに対応するコンテンツのリストを表すコンテンツリスト情報が挙げられる。
【００７６】
コンテンツＤＢ３３は，ユーザに提供するコンテンツ自体およびコンテンツ・テーブルを蓄積したデータベースである。既述のように、コンテンツは静止画、動画のいずれでもよく、適宜に音声が含まれても差し支えない。既述のように、具体的なコンテンツとして、映画、絵画、風景、事物、スポーツ、コンサート（音楽、バレエ等）、ゲーム（ゴルフゲーム、テニスゲーム、クイズ等）等が挙げられる。
【００７７】
コンテンツ・テーブルは、コンテンツＤＢ３３に蓄積されたコンテンツを識別するコンテンツ識別情報、ユーザのリクエストに応じたコンテンツの抽出を可能とするインデックスを記録したテーブルである。コンテンツ識別情報としては、蓄積されたコンテンツを相互に識別可能であれば、文字、数字、記号あるいはこれらの組み合わせのいずれでもよい。
【００７８】
インデックスは、コンテンツの特徴を表したものであり、コンテンツの種別（映画、絵画、風景、事物、劇、バレエ、スポーツ（野球、サッカー等）、音楽、ゲーム等）、コンテンツのタイトル（題名）、コンテンツの制作者（プロデューサ、監督、指揮者、作曲家、作家、画家等）、コンテンツの内容を表すフレーズ（悲劇、喜劇、恋愛、戦争等）、出演者（俳優、ダンサー、バレリーナ、演奏者等）、コンテンツの視聴を制限する視聴制限情報（例えば、Ｘ指定やＲ指定等未成年への視聴を制限するコンテンツのレベルを表す視聴制限レベル情報または／および視聴を制限するコンテンツを識別する視聴制限コンテンツ識別情報）等が記録されている。
このインデックスを検索することでユーザの嗜好、要求に合致したコンテンツの選別（即ち、コンテンツのリストの作成）が可能となる。
また、ユーザによるコンテンツの視聴を制限することが可能となる。
【００７９】
このコンテンツは、コンテンツを作成、提供するコンテンツ提供者から提供される。コンテンツ提供者は、リース業者のリース管理サーバ３０を介して、コンテンツを提供してその提供料金の支払いを受けると共に、ユーザ情報ＤＢ３２に記録されたユーザ情報（ユーザのリクエストから抽出したユーザの嗜好、ユーザが提供を希望したコンテンツ等）の提供を受けることが可能となる。
即ち、コンテンツ提供者はユーザに直接接触することなく、リース管理サーバ３０を介して、コンテンツの提供、ユーザ情報の入手等を行うことができる。
【００８０】
送受信部３４は、表示装置２０，動作管理サーバ４０との通信を行う装置である。この通信は専用線、汎用線、インターネット等種々の通信経路を用いて行え、また有線、無線のいずれでも差し支えない。
送受信部３４は、本発明において、コンテンツを配信するコンテンツ配信手段、作成されたリストを配信するリスト配信手段、加工情報を送信する加工情報送信手段、支払いを請求する支払請求情報を送信する請求情報送信手段として機能する。
【００８１】
（動作管理サーバ４０の詳細）
動作管理サーバ４０は、表示装置２０の動作状況を管理するためのサーバであり、動作管理部４１，動作状況データベース（ＤＢ）４２，送受信部４３から構成される。
【００８２】
動作管理サーバ４０は、表示装置２０の製造業者が用いることができる。動作管理サーバ４０を用いることで、製造した表示装置２０の貸出（リース）、保守点検、交換（機種の変更等）等の管理を効率よく行うことが可能となる。
【００８３】
動作管理部４１は、動作状況ＤＢ４２を用いて表示装置２０の動作状況およびユーザからのリクエスト情報を監視し、必要に応じて保守点検、機種交換が必要なことを警告することができる。即ち、動作管理部４１は、保守点検判断手段として機能する。
なお、この警告は、適宜に画像、音声等を用いて行える。
【００８４】
動作状況ＤＢ４２は、ユーザを識別する情報（ユーザの氏名または社名、住所等）、リースしている表示装置２０を識別する情報（型式、サイズ、付属品等）、表示装置２０の動作状況検知部２６で検知された動作状況の情報、表示装置２０のメンテナンス情報（点検間隔、点検内容、点検結果、修理の有無、故障の原因、故障への対応）、リース管理サーバ３０が入手した表示装置２０に対する表示装置リクエスト情報等が記録される。
【００８５】
送受信部４３は、表示装置２０，リース管理サーバ３０との通信を行う装置である。この通信は専用線、汎用線、インターネット等種々の通信経路を用いて行え、また有線、無線のいずれでも差し支えない。
【００８６】
（表示装置リース管理システム１０の動作）
続いて、図を参照して本実施形態の表示装置リース管理システム１０の動作について説明する。
図２は表示装置リース管理システム１０の全体的な動作を表すフロー図である。本図に示すように、表示装置２０のリース管理（ステップＳ１０）、表示装置２０の動作管理（ステップＳ２０）、表示装置２０へのコンテンツ配信管理（ステップＳ３０）がリース期間の終了に至るまで行われる（ステップＳ４０）。
なお、本図ではこれらステップＳ１０〜Ｓ３０が順次行われるように表しているが、実際にはこれらのステップはほぼ並列して行われる。また、場合によってはこれらステップが適宜省略される場合もある。
次に、これらステップＳ１０〜Ｓ３０の表示装置２０のリース管理、表示装置２０の動作管理、表示装置２０へのコンテンツ配信管理の詳細を説明する。
【００８７】
Ａ．表示装置２０のリース管理
表示装置２０は製造業者により製造され、リース業者を経由して、ユーザに貸与される。
この表示装置２０のリース管理は、リース業者のリース管理サーバ３０により行われる。
図３は、表示装置２０のリース管理の手順を表すフロー図である。以下、順に説明する。
【００８８】
（１）リース期間が終了していなければ（ステップＳ１１）、リース管理サーバ３０によるリース代金支払い情報の入手が行われる（ステップＳ１２）。
具体的には、リースの期間、ユーザの支払い状況がリース管理サーバ３０のユーザ情報ＤＢ３２に記録される。
ユーザはリース業者に対して表示装置２０のリース代金を支払う。このリース代金は、リース業者の手数料および製造業者への表示装置２０の貸与料金を含み、この貸与料金は製造業者に振り込み等される。
なお、ユーザのリース代金の支払い状況は、適宜に自動的な入力（例えば、オンラインバンキングの場合における銀行口座への振り込みの自動的な監視）、人的な入力によりユーザ情報ＤＢ３２に記録できる。
【００８９】
（２）リース管理サーバ３０のリース管理部３１は、ユーザ情報ＤＢ３２に記録された情報に基づき、表示装置２０のユーザがリース代金の支払いを履行しているか否かを判断する（ステップＳ１３）。
期限内にリース代金の支払いが行われていればリース代金の支払いが履行され、そうでなければリース代金の支払いが履行されていない。
【００９０】
（３）リース代金の支払いが履行されていないときには、リース管理部３１からの指示によりリース代金の支払いを請求する旨の支払い請求情報が送受信部３４から表示装置２０に送信される。そして、表示装置２０の送受信部２７がこの支払い請求情報を受信する（ステップＳ１４）。
支払い請求情報を受信した表示装置２０は、この支払い請求情報を表示部２１で表示する（ステップＳ１５）。この結果、ユーザに対する注意の喚起が促される。
その後、ステップＳ１１に戻って、手順が繰り返される。
【００９１】
（４）リース代金の支払いが履行されていても、表示装置２０に対する何らかの要求（例えば、表示装置２０の交換、修理の依頼）が表示装置２０から送信されている場合がある（ステップＳ１６）。
この場合には、要求内容を動作管理サーバ４０に転送する（ステップＳ１７）。動作管理サーバ４０は転送された要求内容を動作状況ＤＢ４２に記録する。
その後、必要に応じてリース契約内容の変更等が行われる（ステップＳ１８）。
リース管理サーバ３０は、この他にリース期限の到来、新たなリースの有無の問いかけの情報等を表示装置２０に送信することができる
【００９２】
Ｂ．表示装置２０の動作管理
この表示装置２０の動作管理は、基本的に、製造業者の動作管理サーバ４０により行われる。
図４は、表示装置２０の動作管理の手順を表すフロー図である。以下、順に説明する。
【００９３】
（１）表示装置２０の動作状況は動作状況検知部２６によって検知され（ステップＳ２１）、送受信部２７を経由して動作管理サーバ４０に送信され、動作状況ＤＢ４２に蓄積される（ステップＳ２２）。
【００９４】
（２）動作管理サーバ４０の動作管理部４２は、動作状況ＤＢ４２の記録に基づき、表示装置２０の保守点検が必要か否かを判断する（ステップＳ２３）。
動作管理部４２が表示装置２０の保守点検が必要と判断した場合には、製造業者への点検、修理を要する旨の警告表示等を行う（ステップＳ２４）。製造業者はこの警告を確認して、ユーザの下へ赴き表示装置２０の点検、修理等を行う（ステップＳ２５）。
【００９５】
（３）表示装置２０に対する何らかの要求（例えば、表示装置２０の交換、修理の依頼）が表示装置２０から送信される場合がある。この要求は入力部２５に入力され、送受信部２７を経由してリース管理サーバ３０に送信され、リース管理サーバ３０のユーザ情報ＤＢ３２に蓄積されると共に、送受信部３４を介して動作管理サーバ４０に転送される（ステップＳ２６）。
動作管理サーバ４０に転送された要求情報は、動作状況ＤＢ４２に蓄積される。動作管理サーバ４０はユーザのリクエストを受信するとこのリクエスト内容の表示等を行う。製造業者は表示されたリクエストに基づき、ユーザの下に赴き表示装置２０のセッティング変更、表示装置２０の交換等を行う（ステップＳ２６）。
【００９６】
この他に、動作管理サーバ４０は表示装置２０への定期点検の予定の通知を行う。この通知は、表示装置２０の表示部２１に表示される。
このときユーザは定期点検の日時における不都合の有無（受諾の有無）を入力部２５によって入力し、送受信部２７を経由して動作管理サーバ４０に送信できる。
表示装置２０から送信された定期点検への受諾の有無は動作管理サーバ４０の動作状況ＤＢ４２に記録されると共に、製造業者に表示される。
【００９７】
以上のように、製造業者はリースを通じて表示装置２０をユーザに提供できる。この結果、例えば新たな方式の表示装置２０のユーザへの認知、浸透を図ることができる。
また、表示装置２０のリースに関連して、貸与料金を得ることができる。さらに、表示装置２０に対するリクエストを通じて、ユーザの表示装置２０に対する嗜好の情報を入手することができる。
【００９８】
一方、ユーザは、リースによって優れた表示装置２０（例えば、高品位、大画面）を用いた良好な視聴環境を比較的低出費で実現できる。
また、表示装置２０の動作状況が動作管理サーバ４０によって逐次モニタされることから、表示装置２０の保守、修理、点検に煩わされることがない。
さらに、ユーザは表示装置２０へのリクエストを入力部２５によって入力することで、リース管理サーバ３０を経由して、動作管理サーバ４０にリクエストが伝えられる。表示装置２０がリースであることから、表示装置２０を買い換えすることなく、機種交換やサイズの変更等を随時行うことができる。
【００９９】
Ｃ．表示装置２０へのコンテンツ配信管理
コンテンツはコンテンツ製作、提供業者によりリース管理サーバ３０のコンテンツＤＢ３３、送受信部３４を経由して、表示装置２０に送信（配信）、ユーザに提供される。
図５は、表示装置２０へのコンテンツ配信管理の手順を表すフロー図である。以下、順に説明する。
【０１００】
（１）ユーザがコンテンツへの要求を入力部２５で入力すると、この要求（リクエスト）はリース管理サーバ３０によって受信される（ステップＳ３１）。
リース管理部３１は、受信されたコンテンツへの要求がコンテンツの配信要求、コンテンツリストの配信要求のいずれであるかを判断する（ステップＳ３２）。
【０１０１】
（２）ユーザの要求がコンテンツリストの配信要求であれば、この配信要求と共に表示装置２０から送信された例えば、コンテンツ特徴情報に基づきコンテンツのリストが作成される（ステップＳ３３）。
作成されたリストはリース管理サーバ３０から表示装置２０に配信される（ステップＳ３４）。
なお、ユーザからの要求の有無に関係なく、所定のリストをコンテンツＤＢ３３に記録させておき、これを自動的に送信することもできる。
【０１０２】
（３）配信されたリストは表示装置２０で表示され、ユーザが入力部２５によって配信を希望するコンテンツを選択するコンテンツ選択情報を入力することで、コンテンツの配信を予約できる（ステップＳ３５）。入力されたコンテンツ選択情報は、リース管理サーバ３０に送信される。
なお、入力する配信予約情報は必要に応じて配信の日時を特定する情報を含めることができる。
【０１０３】
（４）コンテンツ選択情報を受信したリース管理サーバ３０は、このコンテンツ選択情報に対応するコンテンツを表示装置２０に配信する（ステップＳ３６）。このとき、コンテンツに視聴制限が加えられている場合には、視聴を制限するコンテンツを識別する視聴制限コンテンツ識別情報および視聴制限コンテンツ識別情報で表されたコンテンツの視聴制限を解除する視聴制限解除情報が併せて配信される。
【０１０４】
（５）リース管理サーバ３０から表示装置２０へ配信されたコンテンツは、コンテンツ記録部２３に記録される（ステップＳ３７）。
また、視聴制限コンテンツ識別情報および視聴制限解除情報が配信されたときには、これらは設定情報記録部２４に記録される。
なお、ユーザによるコンテンツ記録部２３からのコンテンツのコピーは制限される。この制限はハードウェア、ソフトウェアのいずれかまたは双方を用いて行える。
【０１０５】
（６）ユーザはコンテンツ記録部２３に記録されたコンテンツを所望の時間に視聴することができる（ステップＳ３８）。
このとき、視聴するコンテンツが設定情報記録部２４に記録された視聴制限対象特定情報に対応するコンテンツか否かが確認され、視聴制限対象となっているコンテンツは視聴制限解除情報が入力部２５から入力された場合に視聴可能となる。
【０１０６】
（７）配信されたコンテンツがコンテンツ記録部２３に記録されている期間を限定し、配信から所定の期間が経過した後には、コンテンツ記録部２３からコンテンツを自動的に抹消することができる（ステップＳ３９）。
このようにするとユーザがコンテンツを視聴できる期間を限定することが可能となる。このように視聴期間が限定されたコンテンツはその分ユーザに安価に提供することが可能となる。また、ユーザにとっても飽きの来たコンテンツから他のコンテンツへの置き換えが容易に行えるようになる。さらにコンテンツ記録部２３の記録容量を有効利用することができる。
【０１０７】
（８）ステップＳ３２でユーザの要求がユーザの要求がコンテンツの配信要求であれば、この配信要求と共に表示装置２０から送信された例えば、コンテンツ特定情報に基づきコンテンツが配信される（ステップＳ３４）。以下は、コンテンツリストを配信した場合と同様であるので、説明を省略する。
【０１０８】
コンテンツを視聴するユーザは視聴料金をリース業者に支払う。ユーザが支払ったコンテンツ視聴料には、リース業者の手数料とコンテンツ提供業者のコンテンツ提供料の双方を含み、コンテンツ提供料はコンテンツ提供者に支払われる。このため、コンテンツ提供業者は、リース業者との契約により、表示装置２０をリースしているユーザ一般、即ち安定した大口顧客を獲得することができる。また、コンテンツ提供業者は、リース業者を介してコンテンツの提供を行うことで、ユーザによるコンテンツの提供料の未納の問題を回避できる。また、提供されるコンテンツはコンテンツ記録部２３に記録され、ユーザのコピーが制限されることから、ユーザによるコンテンツの不法コピーの問題を回避できる。
さらに、リース管理サーバ３０のユーザ情報ＤＢに蓄積された情報の提供を受けることで、末端ユーザの嗜好等の情報を個別に収集できる。
【０１０９】
ユーザはコンテンツのリクエストを自己の嗜好（好きなミュージシャンや映画のジャンル）に合わせて行うことができる。
このリクエストに合致した配信可能なコンテンツのリストがリース管理サーバ３０から表示装置２０に送信され、ユーザはこのリストを利用して効率よくコンテンツを選択できる。
ユーザが選択したコンテンツはリース管理サーバ３０から自動的に配信され、コンテンツ記録部２３に自動的に記録されるため、ユーザによる見落としが発生することもない。
また、ユーザにとっては視聴したコンテンツに対応した視聴料の支払いで済むので、無駄な出費が避けられ経済的である。
さらに視聴期間が制限された形でコンテンツの提供を受けることで、より安価にコンテンツの提供を受けることが可能となる。
【０１１０】
配信されるコンテンツに対応して、表示装置２０を種々の形態で利用できる。例えば、表示装置２０を店舗のバックグラウンドビデオ（ＢＧＶ）として利用することができる。このようにコンテンツの表示を長時間に渡って行うときは、表示装置２０として低消費電力の例えばＳＥＤを用いることが料金面から好適である。
【０１１１】
（表示装置２０の利用形態の具体例）
ここでは、表示装置２０を個人的以外の業務用に利用する場合につき説明する。ここでは、個室映写室、ゴルフ練習機への利用例につき説明する。
Ａ．個室映写室
個室映写室は表示装置２０を用いて種々のコンテンツの観賞が行える部屋をいう。個室映写室に表示装置２０を設置して、個室映写室の利用者がコンテンツを選択、視聴できるようにする。また、利用者に対するコンテンツの持ち込みを許容してもよい。
個室映写室の業者は、利用者の個室映写室の利用時間および視聴したコンテンツの量、内容に応じて、個室映写室の利用料金を徴収する。
表示装置２０のリースを受けるのは個室映写室の業者であり、個室映写室の業者は利用者から徴収した利用料の一部からリース代金、コンテンツの視聴料金をリース業者に支払う。
【０１１２】
個室映写室では、例えば、友人、家族が大画面の映画を落ち着いて鑑賞できる。また、個室映写室をコンテンツに対応して模様替えすることで、例えばスポーツの試合を臨場感溢れる環境で楽しむことができる。また、個人が持ち込んだコンテンツ（例えば、子供の運動会の画像）を映写してもよい。
【０１１３】
Ｂ．ゴルフ練習機
表示装置２０をゴルフ練習場に設置して、ゴルフ練習機として利用することができる。表示装置２０でゴルフ練習場の利用者のフォームを表示し、自己のフォームの確認、フォームの矯正のアドバイス等を受けることができる。
【０１１４】
表示装置２０のリースを受けるのはゴルフ練習場の業者であり、ゴルフ練習場の業者はゴルフ練習機の利用者から徴収した利用料の一部からリース代金、コンテンツの視聴料金をリース業者に支払う。
表示部２１は縦長になるように例えば縦置き配置することが好ましい。利用者の全身を効率よく表示することができるからである。
【０１１５】
コンテンツとして、利用者のフォームの確認、矯正等のためのコンテンツを利用できる。具体的には、表示装置２０に表示されるメニューを入力部２５で選択することで、次のようなことが可能となる。
【０１１６】
（１）利用者の参考となる理想的なフォームを表示することができる。このフォームは、必要に応じて繰り返し、スローモーション、停止等を行った状態で表示でき、利用者が理想的なフォームを確認することができる。
【０１１７】
（２）利用者が自己のフォームを確認できる。この確認の際には、入力部２５にテレビカメラを利用し、利用者が実際にゴルフクラブをスイングする状態を入力する。入力された利用者のフォームは、必要に応じて繰り返し、スローモーション、停止等を行った状態で表示でき、利用者が自己のフォームを確認することができる。
【０１１８】
（３）利用者はフォームの矯正のアドバイスを受けることができる。この矯正には、例えば自己のフォームと理想的なフォームの相違点を画像、音声等で指摘することで行える。例えば、自己のフォームと理想的なフォームとを同時に表示して、その食い違いが大きい部分を目立つ色彩で表すことができる。
【０１１９】
（４）さらに、表示装置２０にゴルフ場の映像を表示して、利用者がゴルフのバーチャルプレイを楽しむようにすることもできる。この場合には、利用者がクラブをスイングしたときのフォームに応じて表示部２１上でボールが飛ぶ方向、距離、着地してからの転がり方等に反映させることができる。
【０１２０】
（３）、（４）に示したような場合には利用者の入力に対応して表示装置２０の表示内容を変化させる必要がある。即ち、利用者が入力した情報に何らかの加工を施している。
このような情報の加工は、表示装置２０のコンテンツ内のソフトウェアにより行ってもよいが、表示装置２０からリース管理装置３０に利用者が入力した情報を送信し、入力した情報を加工して表示装置２０に返信し、この加工情報に基づいて表示装置２０の表示の変化等を行える。
【０１２１】
【発明の効果】
以上説明したように、本発明によれば、表示装置のリースとその表示装置で表示するためのコンテンツの提供の双方の管理を効率的に行える表示装置リース管理システム、表示装置リース管理方法、および表示装置リース管理サーバを提供することができる。
【図面の簡単な説明】
【図１】本発明に係る第１実施形態に係る表示装置リース管理システムの構成を示すブロック図である。
【図２】表示装置リース管理システムの全体的な動作を表すフロー図である。
【図３】表示装置のリース管理の手順を表すフロー図である。
【図４】表示装置の動作管理の手順を表すフロー図である。
【図５】表示装置へのコンテンツ配信管理の手順を表すフロー図である。
【符号の説明】
１０　表示装置リース管理システム
２０　表示装置
２１　表示部
２２　音声出力部
２３　コンテンツ記録部
２４　設定情報記録部
２５　入力部
２６　動作状況検知部
２７　送受信部
３０　リース管理サーバ
３１　リース管理部
３２　ユーザ情報ＤＢ
３３　コンテンツＤＢ
３４　送受信部
４０　動作管理サーバ
４１　動作管理部
４２　動作状況ＤＢ
４３　送受信部
【図１】
2004005271.tif 000003
【図２】
2004005271.tif 000004
【図３】
2004005271.tif 000005
【図４】
2004005271.tif 000006
【図５】
2004005271.tif 000007